(57)【要約】【課題】優れた密封性と易開封性とを有すると共に、リシールも可能であり、しかも生産性や経済性にも優れた密閉容器を提供することである。【解決手段】少なくとも底部及び側壁部を有する容器本体、及び該容器本体とは別体のフランジ部材とから成る容器と、該容器の開口部を覆う蓋部材とから成る密閉容器であって、開封に際して前記容器本体と前記フランジ部材の接合面が剥離することを特徴とする。【選択図】図１
2017218215.tif 000002
【特許請求の範囲】
【請求項１】
少なくとも底部及び側壁部を有する容器本体、及び該容器本体とは別体のフランジ部材とから成る容器と、該容器の開口部を覆う蓋部材とから成る密閉容器であって、開封に際して前記容器本体と前記フランジ部材の接合面が剥離することを特徴とする密閉容器。
【請求項２】
前記容器本体と前記フランジ部材の接合面に、リシールを可能にする嵌合用突起が形成されている請求項１記載の密閉容器。
【請求項３】
前記嵌合用突起が、前記容器本体の側面と接合するように形成されており、該接合面に互いに係合する係合用突起が形成されている請求項２記載の密閉容器。
【請求項４】
前記フランジ部材が、容器本体の開口部の全周を囲むフレーム状である請求項１〜３の何れかに記載の密閉容器。
【請求項５】
前記容器本体が開口部に部分的にフランジ部を有しており、前記フランジ部材が該フランジ部を除いた容器の開口部に対応する形状に成形されている請求項１〜３の何れかに記載の密閉容器。
【発明の詳細な説明】
【技術分野】
【０００１】
本発明は、容器及び蓋から成る密閉容器に関するものであり、より詳細には、易開封性及びリシール性を有する樹脂製の密閉容器に関する。
【背景技術】
【０００２】
食品用途の包装容器として、樹脂製の容器のフランジ部に可撓性を有する蓋をヒートシールで密封して成る密閉容器が広く使用されている。
このような密閉容器は、容器の密閉性を確保する一方、ヒートシールで溶着された蓋を手で容易に剥離して開封できるという、密封性能とは相反する性能を有することも要求されている。
【０００３】
このような密閉容器としては、例えば下記特許文献１には、容器の少なくとも内層を含む層が剥離可能に形成され、容器のフランジ部上面には、開封開始部と２本の周状の切り込みが設けられ、この２本の周状の切り込みのうち、外側の切り込みと連接して、前記フランジ部の上面より低い部分が形成され、このフランジ部の上面より低い部分が、前記外側の切り込みより浅く、開封開始部において、蓋材のヒートシール部が、外側の切り込みに向かってからす口状に突出した形状且つフランジ部の上面より低い部分にはみ出して形成されている易開封性容器が提案されている（特許文献１等）。
【０００４】
一方、ヒートシール容器においても、内容物が残った場合などに、一旦容器から引き剥がした蓋を再び容器に嵌合して、再密封（リシール）できることが望まれており、このため落とし蓋形状の成形蓋を使用することにより、リシール性を持たせた密閉容器も提案されている（特許文献２）。
再密封可能なヒートシール容器としては、例えば下記特許文献３には、表面樹脂層と特定のスチレン系熱可塑性エラストマーを主成分とする粘着樹脂層とヒートシール性樹脂層とから成る再封機能付き多層フィルムを用いて成る包装体が提案されている。
【先行技術文献】
【特許文献】
【０００５】
【特許文献１】特許第４７１９４１１号公報
【特許文献２】特開２００４−３３１１５６号公報
【特許文献３】特開２００７−１２５８２０号公報
【発明の概要】
【発明が解決しようとする課題】
【０００６】
上記特許文献１に記載された易開封性容器は、開封開始部のヒートシール部の外端が常に外側の切り込みと一致していると共に、ヒートシール部と開封開始部を除いた２本の周状の切り込みとの間に非融着部を設けていることから、優れた易開封性を有するが、この易開封性容器では、リシールをすることができない。
また上記特許文献２に記載された落とし蓋形状の成形蓋は、可撓性の高いシート状の蓋に比して厚みがあり剛性が高いことから、シール性に劣ると共に開封に際して蓋が歪みやすい場合がある。
更に上記特許文献３に記載された再封機能付き多層フィルムを用いて成る包装体においては、特定の粘着樹脂層を用いることにより、剥離時に露出した表面樹脂層と粘着樹脂層が手や指による加圧接着のみで再封止性が発現されるが、再密封した際の密封性の点で未だ十分満足するものではなく、しかも容器及び蓋を多層構造にする必要があり、経済性や生産性の点で未だ十分満足するものではない。
【０００７】
従って本発明の目的は、優れた密封性と易開封性とを有すると共に、リシールも可能であり、しかも生産性や経済性にも優れた密閉容器を提供することである。
【課題を解決するための手段】
【０００８】
本発明によれば、少なくとも底部及び側壁部を有する容器本体、及び該容器本体とは別体のフランジ部材とから成る容器と、該容器の開口部を覆う蓋部材とから成る密閉容器であって、開封に際して前記容器本体と前記フランジ部材の接合面が剥離することを特徴とする密閉容器が提供される。
本発明の密閉容器においては、
１．前記フランジ部材には、容器本体側面と密着してリシールを可能にする嵌合用突起が形成されていること、
２．前記嵌合用突起が、前記容器本体の側面と接合するように形成されており、該接合面に互いに係合する係合用突起が形成されていること、
３．前記フランジ部材が、容器本体の開口部の全周を囲むフレーム状であること、
４．前記容器本体が開口部に部分的にフランジ部を有しており、前記フランジ部材が該フランジ部を除いた容器の開口部に対応する形状に成形されていること、
が好適である。
【発明の効果】
【０００９】
本発明の密閉容器においては、容器を容器本体及び容器本体とは別に成形されたフランジ部材から形成し、開封に際して容器本体とフランジ部材の接合面が剥離することにより、蓋と強固に接合されたフランジ部材が容器本体から容易に取り外され、開封することが可能になる。すなわち、容器本体及びフランジ部材を互いに接着性に乏しい樹脂の組み合わせで成形すると共に、蓋とは剥離不可能に接合されるフランジ部材を、例えば後述するように、蓋の少なくとも内面を構成する樹脂と強固にヒートシール可能な樹脂から成形することにより、開封に際して、蓋と一体となったフランジ部材は蓋の動きに追従して引き上げられて、容器本体から容易に取り外される。
本発明の密閉容器においては、フランジ部材に容器本体の側壁部と密着する嵌合用突起が形成されていることが好適であり、この場合には、易開封性だけでなくリシール性も発現できる。すなわち、リシールに際しては、フランジ部材を開封前の状態に戻すように容器本体に嵌合することにより、フランジ部材に固着された蓋が容器本体開口を覆うことによって、リシールされるが、フランジ部材に容器側壁部と密着する嵌合用突起が形成されていることにより、フランジ部材が容器本体側壁部とがっちりと嵌合することから、リシール性が向上する。
本発明の密閉容器においては更に、上記のように嵌合用突起が前記容器本体の側面と密着するように形成されており、この嵌合用突起と容器本体の側面の接合面に互いに係合する係合用突起が形成されていることがより好適であり、この場合には、リシールの際に、嵌合用突起と容器本体側面が水平方向に係合し合うことから、意図外に蓋の開封方向（上下方向）の力が作用しても容易に係合が解除されず、リシール時の密封性をも確保することが可能になる。
【００１０】
本発明の密閉容器においては、フランジ部材が容器本体の開口部の全周を囲むフレーム状である態様、或いは容器本体が開口部に部分的にフランジ部を有しており、フランジ部材がフランジ部を除いた容器の開口部に対応する形状に成形されている態様をとることができ、何れの態様においてもインサート成形等によって容器を容易に成形することができる。
フランジ部材が容器本体の開口部の全周を囲むフレーム状の場合には、フランジ部材に一体に固着された蓋が容器本体から完全に離脱することができると共に、容器本体の開口部の何れの部分からも開封することができる。
容器本体の開口部に部分的にフランジが形成されている場合には、蓋は容器本体から離脱可能なフランジ部材及び容器本体と一体に形成されたフランジ部の両方に固着していることから、開封に際して蓋は、フランジ部材に固着された部分が容器本体から離脱して開口を形成する一方、容器本体のフランジ部に固着された部分は容器本体から離脱することなく、蓋を容器本体に連結した状態を維持することも可能になる。
【図面の簡単な説明】
【００１１】
【図１】本発明の密閉容器の一例を示す図であり、（Ａ）は斜視図、（Ｂ）は（Ａ）のＸ−Ｘ側断面図を示す。
【図２】図1に示す密閉容器の開封機構を説明するための図である。
【図３】本発明の密閉容器における容器本体及びフランジ部材の接合面の態様を説明するための図である。
【図４】本発明の密閉容器の他の一例を示す図であり、（Ａ）は斜視図、（Ｂ）は（Ａ）のＸ−Ｘ側断面図、（Ｃ）は開封時の側断面図を示す。
【図５】開封力の測定方法を説明するための図である。
【発明を実施するための形態】
【００１２】
（密閉容器）
本発明の密閉容器を添付図面に基づいて説明する。
図１に示すように、本発明の密閉容器１は、容器本体2、容器本体の開口部に位置し、容器本体とは別体のフランジ部材３、及びフランジ部材３にヒートシールで溶着される蓋４からなっている。
容器本体２は、図１に示すように、少なくとも底部２１、側壁部２２から成っている。またフランジ部材３は、図１（Ｂ）から明らかなように、容器本体２の開口部先端２３と全周にわたって当接し、容器本体の開口部先端２３の部分から外方に延びる環状のフランジ部３１、このフランジ部３１の下面から下方に延び、容器本体側壁部２２の外面と密着し、容器本体の側壁部上方を外側からタガ締めする嵌合用突起３２から成っている。
また図１に示す具体例においては、フランジ部３の嵌合用突起３２及び容器本体側壁部２２に、嵌合用突起３２の内面に環状の係合用突起３３、及びこの係合用突起３３の形状に合致する環状の係合用凹部２４が容器本体外面側に形成されており、嵌合用突起によるフランジ部材の容器本体への固定のみならず、嵌合用突起と容器本体側壁部間の係合によって更にフランジ部材が強固に固定されている。
蓋４は、フランジ部材３の外径とほぼ同じ大きさのシート状蓋であり、フランジ部材３のフランジ部上面とヒートシール等の接合方法により剥離不可能に固着されており、その一端にフランジ部材３外縁よりも外側に延びる開封用片４１が形成されている。
【００１３】
前述したとおり、本発明の密閉容器においては、開封に際して、容器本体及びフランジ部材の接合面が剥離し、容器本体からフランジ部材が分離することにより、フランジ部材と一体化した蓋が容器本体から取り除かれて開口が形成される。
図２は、上述した図１の密閉容器のＰ部分を拡大して、密閉容器の開封操作を説明するための図であり、図２（Ａ）は、密封状態を示す図であり、図２（Ｂ）は蓋４の開封用片４１を引き上げ始めた状態を示す図であり、図２（Ｃ）はフランジ部材３の嵌合用突起が容器本体から外れた状態を示す図である。
上述したとおり、密閉状態においては、図２（Ａ）に示すように、容器本体２の開口先端部２３及び側壁部２２の上方が、フランジ部材３のフランジ部３１の内周側と嵌合用突起３２と剥離可能なシール強度で接合していると共に、嵌合用突起３２が外側から側壁部２２の上方をタガ締めし、更に容器本体２の側壁部外面と嵌合用突起３２の内面に形成された互いに嵌合し合う凹部２４及び凸部３３によってがっちりと組み合わされている。また蓋４は、フランジ部材４と溶着部５によって剥離不可能に接合されているので、容器内は確実に密閉状態が維持されている。
図２（Ｂ）に示すように、開封するために蓋４の開封用片４１を上方に引き上げると、フランジ部材３もこれに追従し、容器本体及びフランジ部材の接合面が剥離し始めると共に、嵌合用突起３２による外側からのタガ締めが緩められ、係合用凹部２４と係合用凸部３３の係合が解除され始める。更に開封用片４１を引き上げると、図２（Ｃ）に示すように、フランジ部材３が容器本体から完全に分離して開封される。
【００１４】
本発明の密閉容器は上述した態様に限定されない。図３は、本発明の密閉容器における他の態様を説明するための容器本体上部及びフランジ部材の接合部分を拡大して示す図である。
図３（Ａ）に示す態様においては、容器本体２の開口部先端２３に環状のフランジ部材３が接合されている態様である。この態様では、開口部先端２３と環状のフランジ部材が、開口部先端２３のみで接合されていることから、リシール性を得るためには落とし蓋形状の成形蓋４を用いることが望ましい。
また図３（Ｂ）に示す態様においては、フランジ部材３は、容器本体の開口部先端２３より外方に延びるフランジ部が形成されず、容器本体側壁部外面と密着する嵌合用突起３２のみが形成され、フランジ部材３は容器本体の開口部先端２３と側壁部上部外面で接合されている態様である。この態様では、フランジ部材３に嵌合用突起３２が形成されているので、リシールに際しては、嵌合用突起３２が容器本体側壁部を外側からタガ締めするようにして固定することができる。
更に図３（Ｃ）に示す態様においては、フランジ部材３は、容器本体の開口部先端２３より外方に延びるフランジ部３１が形成されていると共に、容器本体側壁部内面と密着する嵌合用突起３２が形成され、フランジ部材３は容器本体の開口部先端２３と側壁部上部内面で接合されている態様である。この態様では、フランジ部材３に嵌合用突起３２が形成されているので、リシールに際しては、嵌合用突起３２が容器本体側壁部を内側から押し広げるようにして固定することができる。
更にまた図３（Ｄ）に示す態様は、フランジ部材３に容器本体の開口部先端２３よりも外方に延びるフランジ部が形成されていない以外は、図３（Ｃ）と同様である。
尚、図３（Ｂ）〜（Ｃ）に示す態様においても、嵌合用突起と容器本体の接合面に係合用突起が形成されていてもよい。
【００１５】
上述した本発明の密閉容器においては、フランジ部材は、容器本体の開口部先端の全周に対して環状のフランジ部材が形成されていたが、フランジ部材は必ずしも環状（フレーム状）であることに限定されない。
図４は、本発明の密閉容器の他の態様を示す図であり、全体を１で表す密閉容器は、容器本体２、容器本体の開口部に位置し、容器本体とは別体のフランジ部材３、及びフランジ部材３にヒートシールで溶着される蓋４からなっている点は前述した図１の態様と同じであるが、この態様においては、容器本体の一部の開口部先端２３ａにフランジ部２５が形成され、このフランジ部２５が形成されていない開口部先端２３ｂに対応する位置にフランジ部材３が形成されており、容器本体のフランジ部２５とフランジ部材３の上面が均一なフランジ面を形成し、この部分に蓋４が固着されている。この態様の密閉容器を開封すると、図４（Ｃ）に示すように、フランジ部材３の部分のみが容器本体から取り外されることから、蓋が容器本体から離脱することがなく、蓋は部分的に開封されることになる。このため、容器本体に形成されるフランジ部２５ａは、開口部全周に対して１８０度以下であることが開口性の点から望ましい。
【００１６】
（使用樹脂）
本発明において、容器本体及びフランジ部材を、密閉状態を確実に維持可能であると共に、開封時においては容易に剥離可能にするためには、容器本体を構成する樹脂とフランジ部材を構成する樹脂の組み合わせにより、接着強度を調整することが好ましい。密封性能及び易開封性能の両方を満足するために好適な接着強度としては、図５に示すように、フランジ部材３に溶着された蓋４の一端にプッシュプルゲージ６を取り付け、これを蓋４に対して４５度の方向に引き上げることによって測定した開封力（剥離強度）が、０．５〜２．５Ｋｇｆの範囲にあることが望ましい。
尚、前述したとおり、容器本体を構成する樹脂とフランジ部材を構成する樹脂の組み合わせ以外にも、フランジ部材の嵌合用突起や、容器側壁部及び嵌合用突起間の係合によって密封性能を高めることができる。
このような樹脂の組み合わせとしては、ヒートシール性があり且つ相溶性のない２種以上の熱可塑性樹脂を適宜組み合わせることができる。
例えば、容器本体をプロピレン系重合体から構成する場合、フランジ部材をエチレン系重合体とプロピレン系重合体のブレンド物から構成することにより、密封性を確保しつつ易開封性を保持することができ、ブレンド物のブレンド比を適宜変更することにより剥離強度を調整することができる。
【００１７】
上記プロピレン系重合体としては、ホモポリプロピレンの他、プロピレンとエチレンもしくは他のα−オレフィン、例えば、１−ブテン、１−ペンテン、１−ヘキセン、４−メチル−１−ペンテン、１−オクテン等とのランダム共重合体等を挙げることができる。また上記エチレン系重合体としては、低密度ポリエチレン（ＬＤＰＥ）、線状低密度ポリエチレン（ＬＬＤＰＥ）、中・高密度ポリエチレン（ＭＤＰＥ、ＨＤＰＥ）等のエチレンの単独重合体、もしくはエチレンと、例えば１−ブテン、１−ペンテン、１−ヘキセン、４−メチル−１−ペンテン、１−オクテン等の他のα−オレフインや、（メタ）アクリル酸、（メタ）アクリル酸エチル、（メタ）アクリル酸メチル、酢酸ビニル、スチレン等のビニル系単量体等との共重合体、或いはアイオノマー等を挙げることができる。
またブレンド物としては上記オレフィン系重合体同士の組み合わせ以外にも、ポリエチレンテレフタレート、ポリエチレンテレフタレートイソフタレート共重合体等の熱可塑性ポリエステル樹脂や、ポリカーボネート樹脂、ポリアクリロニトリル樹脂等と、上記オレフィン系重合体との組み合わせ等も使用することができる。
【００１８】
本発明において、容器本体、フランジ部材、及び蓋の樹脂の組み合わせとしては、これに限定されないが、以下の組み合わせを例示することができる。
例えば、図１に示す態様においては、容器本体をプロピレン系重合体で成形し、フランジ部材をプロピレン系重合体とエチレン系重合体のブレンド物で成形し、蓋の少なくとも内層を、フランジ部材と同様のブレンド物から形成することができる。
また図４に示す態様においては、容器本体をプロピレン系重合体の配合比が多いプロピレン系重合体とエチレン系重合体のブレンド物で成形し、フランジ部材をエチレン系重合体の配合比が多いプロピレン系重合体とエチレン系重合体のブレンド物で成形し、蓋の少なくとも内層を、フランジ部材と同様のブレンド物から形成することにより、開封に際して容器本体とフランジ部材の接合面が剥離し、容器本体フランジ部と蓋の接合面及びフランジ部材と蓋の接合面では剥離しないようにすることができる。
【００１９】
本発明においては、ブレンド物としてプロピレン系重合体とエチレン系重合体を使用する場合に、ブレンド物から成るフランジ部材がプロピレン系重合体から成る容器本体との良好な剥離性を発現するためには、プロピレン系重合体とエチレン系重合体を重量比で、５：５〜９．５：０．５の範囲でブレンドしたブレンド物を好適に使用することが好ましい。
また本発明においては、フランジ部材と蓋、或いは図４に示した態様における容器本体フランジ部と蓋との間の接合は上述したとおりヒートシールにより剥離不可能に接合することが特に好適であるが、酸変性オレフィン系樹脂等の接着性樹脂を用いた接合や、蓋或いはフランジ部材にレーザ照射により発熱する材料を含有させてレーザ溶着により剥離不可能に接合することもできる。
【００２０】
本発明の密閉容器における容器の形状は、特に限定されず、開口部の形状が円形、楕円形の他、矩形であってもよい。またフランジ部で蓋を接合し得るかぎり、カップ型、トレイ型等従来公知の形状を採用できる。更に容器本体は、前述した樹脂の単層構成であってもよいが、フランジ部材との接合面が上述した条件を満足する限り、ガスバリア性中間層を有する多層構成であってもよい。
本発明の密閉容器に使用される蓋としては、フランジ部材、或いは図４に示す態様においては容器本体フランジ部と剥離不可能に接合される以外は、従来公知の蓋を使用することができる。
例えば、フランジ部材と同様の樹脂から成る層をフランジ部材側に少なくとも有する可撓性の単層フィルム又は多層フィルム、具体的には、前記内層／ガスバリア性中間層／外層等から成る可撓性積層体を挙げることができる。
上記ガスバリア性中間層を構成する材料としては、アルミニウム箔等の金属箔、無機蒸着フィルム、エチレンビニルアルコール共重合体等のガスバリア性樹脂等を例示できる。
また、フランジ部材と同様の樹脂から成る層をフランジ部材側に少なくとも有する落とし蓋形状の成形蓋であってもよい。このような落とし蓋形状の成形蓋は、シートからの熱成形、圧縮成形，射出成形等の従来公知の方法により成形することができる。
【００２１】
（製造方法）
本発明の密閉容器において容器は、前述した構成を有する限り、種々の方法で製造することができるが、好適には、予め射出成形等で成形したフランジ部材を、容器本体成形用の圧縮成形型又は射出成形型に挿入して、容器本体を圧縮成形又は射出成形により成形するインサート成形によって、容器本体及びフランジ部材を一体的に成形することができる。或いはその逆の順序、すなわち先に容器本体を成形した後、フランジ部材を構成する樹脂を供給して一体的に成形することもできる。
容器及び蓋の接合は、前述したとおり、ヒートシール等によって行うことができる。
【符号の説明】
【００２２】
１  密閉容器、２  容器本体、３、フランジ部材、４  蓋、２１  底部、２２  側壁部、２３  開口部先端、２４  係合用凹部  ２５  フランジ部、３１  フランジ部、３２  嵌合用突起、３３  係合用凸部。
【図１】
2017218215.tif 000003
【図２】
2017218215.tif 000004
【図３】
2017218215.tif 000005
【図４】
2017218215.tif 000006
【図５】
2017218215.tif 000007
【手続補正書】
【提出日】平成29年5月26日(2017.5.26)
【手続補正１】
【補正対象書類名】特許請求の範囲
【補正対象項目名】請求項３
【補正方法】変更
【補正の内容】
【請求項３】
前記フランジ部材に、前記容器本体の側面と接合するように前記嵌合用突起が形成されており、且つ前記嵌合用突起と容器本体側面の接合面に互いに係合する係合用突起が形成されている請求項２記載の密閉容器。
【手続補正２】
【補正対象書類名】明細書
【補正対象項目名】０００８
【補正方法】変更
【補正の内容】
【０００８】
本発明によれば、少なくとも底部及び側壁部を有する容器本体、及び該容器本体とは別体のフランジ部材とから成る容器と、該容器の開口部を覆う蓋部材とから成る密閉容器であって、開封に際して前記容器本体と前記フランジ部材の接合面が剥離することを特徴とする密閉容器が提供される。
本発明の密閉容器においては、
１．前記フランジ部材には、容器本体側面と密着してリシールを可能にする嵌合用突起が形成されていること、
２．前記フランジ部材に、前記容器本体の側面と接合するように前記嵌合用突起が形成されており、且つ前記嵌合用突起と容器本体側面の接合面に互いに係合する係合用突起が形成されていること、
３．前記フランジ部材が、容器本体の開口部の全周を囲むフレーム状であること、
４．前記容器本体が開口部に部分的にフランジ部を有しており、前記フランジ部材が該フランジ部を除いた容器の開口部に対応する形状に成形されていること、
が好適である。
【手続補正３】
【補正対象書類名】明細書
【補正対象項目名】００１２
【補正方法】変更
【補正の内容】
【００１２】
（密閉容器）
本発明の密閉容器を添付図面に基づいて説明する。
図１に示すように、本発明の密閉容器１は、容器本体2、容器本体の開口部に位置し、容器本体とは別体のフランジ部材３、及びフランジ部材３にヒートシールで溶着される蓋４からなっている。
容器本体２は、図１に示すように、少なくとも底部２１、側壁部２２から成っている。またフランジ部材３は、図１（Ｂ）から明らかなように、容器本体２の開口部先端２３と全周にわたって当接し、容器本体の開口部先端２３の部分から外方に延びる環状のフランジ部３１、このフランジ部３１の下面から下方に延び、容器本体側壁部２２の外面と密着し、容器本体の側壁部上方を外側からタガ締めする嵌合用突起３２から成っている。
また図１に示す具体例においては、フランジ部材３の嵌合用突起３２及び容器本体側壁部２２に、嵌合用突起３２の内面に環状の係合用突起３３、及びこの係合用突起３３の形状に合致する環状の係合用凹部２４が容器本体外面側に形成されており、嵌合用突起３２によるフランジ部材３の容器本体への固定のみならず、嵌合用突起３２と容器本体側壁部２２間の係合によって更にフランジ部材３が強固に固定されている。
蓋４は、フランジ部材３の外径とほぼ同じ大きさのシート状蓋であり、フランジ部材３のフランジ部３１上面とヒートシール等の接合方法により剥離不可能に固着されており、その一端にフランジ部材３外縁よりも外側に延びる開封用片４１が形成されている。
【手続補正４】
【補正対象書類名】明細書
【補正対象項目名】００１３
【補正方法】変更
【補正の内容】
【００１３】
前述したとおり、本発明の密閉容器においては、開封に際して、容器本体及びフランジ部材の接合面が剥離し、容器本体からフランジ部材が分離することにより、フランジ部材と一体化した蓋が容器本体から取り除かれて開口が形成される。
図２は、上述した図１の密閉容器のＰ部分を拡大して、密閉容器の開封操作を説明するための図であり、図２（Ａ）は、密封状態を示す図であり、図２（Ｂ）は蓋４の開封用片４１を引き上げ始めた状態を示す図であり、図２（Ｃ）はフランジ部材３の嵌合用突起が容器本体から外れた状態を示す図である。
上述したとおり、密閉状態においては、図２（Ａ）に示すように、容器本体２の開口先端部２３及び側壁部２２の上方が、フランジ部材３のフランジ部３１の内周側と嵌合用突起３２と剥離可能なシール強度で接合していると共に、嵌合用突起３２が外側から側壁部２２の上方をタガ締めし、更に容器本体２の側壁部外面と嵌合用突起３２の内面に形成された互いに嵌合し合う係合用凹部２４及び係合用突起３３によってがっちりと組み合わされている。また蓋４は、フランジ部材３と溶着部５によって剥離不可能に接合されているので、容器内は確実に密閉状態が維持されている。
図２（Ｂ）に示すように、開封するために蓋４の開封用片４１を上方に引き上げると、フランジ部材３もこれに追従し、容器本体及びフランジ部材の接合面が剥離し始めると共に、嵌合用突起３２による外側からのタガ締めが緩められ、係合用凹部２４と係合用突起３３の係合が解除され始める。更に開封用片４１を引き上げると、図２（Ｃ）に示すように、フランジ部材３が容器本体から完全に分離して開封される。
【手続補正５】
【補正対象書類名】明細書
【補正対象項目名】００２２
【補正方法】変更
【補正の内容】
【００２２】
１  密閉容器、２  容器本体、３  フランジ部材、４  蓋、２１  底部、２２  側壁部、２３  開口部先端、２４  係合用凹部、  ２５  フランジ部、３１  フランジ部、３２  嵌合用突起、３３  係合用突起。